(57)【要約】【課題】（１）保護者とともに所定の施設や場所に入場した子供等の被保護者が、誘拐されたり、行方不明になったりすることを有効に防止すること。（２）所定の物品が勝手に持ち出されたり、盗まれたりすることを有効に防止すること。【解決手段】  所定の場所や施設の出口で、人物の生体情報を利用して、人の退場や物の持ち出しの管理を、コンピュータシステムを用いて実現する。例えば、入口に設置される登録用情報読取装置（Ｍ１又はＭａ）から送られてくる生体情報と他情報（他の生体情報や物品識別情報など）とから構成される判定用データをサーバなどの管理措置Ｓで作成し、この判定用データと出口に設置された照合用情報読取装置（Ｍ２又はＭｂ）から得られる照合用情報と、を比較判定する手順と、前記判定結果、前記照合用情報中に前記生体情報と他情報の両方が含まれていなければ、前記出口において人の退場や物の持ち出しが許可されないようにする。【選択図】  図３
2006107308.tif 000002
【特許請求の範囲】
【請求項１】
人の生体情報を利用して、所定の場所や施設の出口において、人の退場や物の持ち出しの管理を、コンピュータシステムを用いて実現する方法であって、
予め取得された「生体情報」と「他情報」とから構成される判定用データを作成する手順と、出口に設置された照合用情報読取装置から送られてくる照合用情報と、を比較判定する手順と、
前記判定結果、前記照合用情報中に前記「生体情報」と前記「他情報」の両方が含まれていなければ、前記出口において人の退場や物の持ち出しが許可されないようにする手順と、を少なくとも行う出口管理方法。
【請求項２】
被保護者の退場を出口で管理する方法であって、
前記判定用データを構成する前記「生体情報」は保護者の生体情報であり、前記「他情報」は被保護者の生体情報であることを特徴とする請求項１記載の出口管理方法。
【請求項３】
物品の持ち出しを出口で管理する方法であって、
前記判定用データを構成する前記「生体情報」は物品取扱責任者の生体情報であり、前記「他情報」は物品識別情報であることを特徴とする請求項１記載の出口管理方法。
【請求項４】
入口に設置される登録用生体情報入力装置から送られてくる「生体情報」と「他情報」とから構成される判定用データを作成する手段と、
前記判定用データと出口に設置された照合用情報読取装置から送られてくる照合用情報を比較判定する手段と、
前記判定の結果、前記照合用情報中に前記「生体情報」と前記「他情報」の両方が含まれていない場合は、人の退場や物の持ち出しを許可しない指示情報を作成して、照合用情報読取装置へ送る手段と、
を少なくとも備える管理装置。
【請求項５】
被保護者の退場を出口で管理するために利用される装置であって、
前記判定用データを構成する前記「生体情報」は保護者の生体情報であり、前記「他情報」は被保護者の生体情報であることを特徴とする請求項４記載の管理装置。
【請求項６】
物品の持ち出しを出口で管理するために利用される装置であって、
前記判定用データを構成する前記「生体情報」は物品取扱責任者の生体情報であり、前記「他情報」は物品識別情報であることを特徴とする請求項４記載の管理装置。
【請求項７】
前記登録用生体情報入力装置と前記照合用生体情報入力装置との間の情報の相互やり取りを通信ネットワークを介して行うサーバであることを特徴とする請求項４記載の管理装置。
【請求項８】
保護者と被保護者が属するグループが来場する施設又は場所で利用される退場管理用のコンピュータシステムであって、
入口に設置される登録用生体情報入力装置と、
出口に設置される照合用生体情報入力装置と、
前記登録用生体情報入力装置で読み取られた生体情報を用いて作成した判定用データに基づいて、前記被保護者の退場許可判定を実行する管理装置と、を備え、
前記管理装置は、
入口の登録用生体情報入力装置から送られてきた、前記グループに属する少なくとも一人の保護者から読み取られた保護者生体情報と、前記グループに属する被保護者から読み取られた被保護者生体情報と、から構成される前記判定用データを作成し、
前記被保護者が出口から退場する際に、前記照合用生体情報入力装置から送られてきた照合用情報中に、前記保護者生体情報と被保護者生体情報の両方が含まれる場合に限って、被保護者の退場を許可するようにした出口管理システム。
【請求項９】
前記保護者生体情報は、前記グループに属する保護者の中から選ばれた一人又は複数者の生体情報であることを特徴とする請求項８記載の被保護者の出口管理システム。
【請求項１０】
前記保護者生体情報は、前記グループに属する保護者全員の生体情報から構成されていることを特徴とする請求項８記載の出口管理システム。
【請求項１１】
前記被保護者生体情報は、前記グループに属する被保護者の中から選ばれた特定の被保護者だけの生体情報であることを特徴とする請求項８記載の出口管理システム。
【請求項１２】
前記施設又は場所に複数の入口がある場合、前記登録用生体情報入力装置は、選択された所定の入口にだけ設置されていることを特徴とする請求項８記載の出口管理システム。
【請求項１３】
前記管理装置からの被保護者の退場を許可する指示情報によって、出口を自動解錠することを特徴とする請求項８記載の出口管理システム。
【請求項１４】
前記被保護者は、子供であることを特徴とする請求項８記載の出口管理システム。
【請求項１５】
前記登録用生体情報入力装置には、生体情報からなる前記照合用情報以外に、保護者又は／及び被保護者の年齢、性別その他の属性情報が入力されることを特徴とする請求項８記載の被保護者の出口管理システム。
【請求項１６】
前記管理装置は、前記属性情報に基づいて、前記グループ来場者の属性分析を行うことを特徴とする請求項８記載の被保護者の出口管理システム。
【請求項１７】
物品の持ち出しを出口で管理するためのコンピュータシステムであって、
物品取扱責任者の生体情報と物品識別情報とから構成される判定データＤを作成して記憶し、該判定用データに基づいて、前記物品の持ち出し許可判定を実行する管理装置と、を備え、
前記管理装置は、
人物が出口から退場する際に、該出口に設置された照合用生体情報入力装置から送られてきた照合用情報と前記判定用データとを比較判定し、該判定により前記照合用情報中に前記生体情報と物品識別情報の両方が含まれる場合に限って、当該物品の持ち出し許可するようにした出口管理システム。
【請求項１８】
前記物品識別情報は、非接触読取が可能なＲＦＩＤ用のトランスポンダ保存情報、又はバーコード情報であることを特徴とする請求項１７記載の出口管理システム。
【請求項１９】
前記持ち出し許可に係わる指示情報によって、出口を自動解錠することを特徴とする請求項１７記載の出口管理システム。
【請求項２０】
所定の施設又は場所の入口又は／及び出口に設置される情報読取装置であって、
人間の生体情報を読み取る生体情報読取部と、
読み取られた前記生体情報データを管理装置に送信する通信部と、
情報入力部と、
入力情報及び他の装置から送信されてきた送信情報の内容の画面表示化を実現する表示部と、
前記送信情報に含まれる指示情報に基づいて出口の解錠を制御する解錠制御部と、
を少なくとも備える情報読取装置。
【請求項２１】
物品に付された識別情報を読み取る物品識別情報読取部を備えることを特徴とする請求項２０記載の情報読取装置。
【請求項２２】
前記物品識別情報読取部は、物品に付された識別情報を非接触状態で読み取るＲＦＩＤシステムを用いることを特徴とする請求項２１記載の生体情報読取装置。
【発明の詳細な説明】
【技術分野】
【０００１】
本発明は、バイオメトリクス認証技術を利用した出口管理技術に関する。より詳しくは、バイオメトリクス認証技術を利用して、人物の退場や物品の持ち出しを出口において管理する技術に関する。
【背景技術】
【０００２】
近年、バイオメトリクス認証に関する技術が進展している。このバイオメトリクス認証は、身体的特徴や身体的特性などの個人に固有の情報（以下「生体情報」という。）を利用して、本人の認証を行うことを主目的とする技術である。
【０００３】
このバイオメトリクス認証技術において、一般に使用される身体的特徴としては、指紋、掌紋、手形、手の甲の静脈、虹彩、顔、音声などが挙げられ、また、身体的特性としては、筆跡や打鍵などを挙げることができる。これらの特徴や特性は、長期にわたって変化し難く、また、類似する特徴・特性を持つ第三者がほぼ存在しないという利点がある。従って、このバイオメトリクス技術は、暗証番号やパスワードを用いた認証技術に比べて、原理的に偽認証が行われ難いことから、ネットワーク社会の到来により益々注目され、その利用範囲も拡大している。
【０００４】
生体情報を用いて認証を行う場合は、まず当該人物に固有の生体情報を予め計測してコンピュータなどの記憶部に登録しておく。商取引などのサービスを受ける場合、あるいは入退場や施錠解錠などの管理システムで要求されるときに、当該人物の生体情報が予め登録してある生体情報データと一致するかを確認し、本人である否かの真正性を認証することを基本としている。
【０００５】
ここで、バイオメトリクス認証技術を利用する先行技術を幾つか挙げる。まず、特許文献１には、生体情報センサーによって入室者の生体情報を読取、その読取情報を原本情報と照合し、その照合結果によって建物ゲートの開閉を制御する技術が開示されている。
【０００６】
特許文献２には、人物の生体情報を特定の部屋を識別する部屋情報とともにデータベースに格納しておき、当該生体情報と部屋情報に一致する登録事項が前記データベースに格納されているかどうかを検索し、当該検索結果に応じて鍵解錠制御信号を生成する技術が開示されている。
【０００７】
特許文献３には、コインロッカーなどの物品保管庫において第三者の解錠を阻止するために、生体情報の一つである指紋情報を利用して、扉のロックを解除する技術が開示されている。
【特許文献１】特開２００３−１８４３８１公報。
【特許文献２】特開２０００−０７６４５１号公報。
【特許文献３】特開２００２−２７６２２２号公報。
【発明の開示】
【発明が解決しようとする課題】
【０００８】
本発明の主たる技術的課題は、バイオメトリクス認証技術を活用して、（１）保護者とともに所定の施設や場所に入場した子供等の被保護者が、誘拐されたり、行方不明になったりすることを有効に防止すること、（２）所定の物品が勝手に持ち出されたり、盗まれたりすることを有効に防止すること、であり、これらの技術的課題を解決することを目的とする。
【課題を解決するための手段】
【０００９】
本発明は、大別すると、（Ｉ）出口管理方法、（II）管理装置、（III）出口管理システム、（IV）情報読取装置を提供する。以下、順番に説明する。
【００１０】
（Ｉ）出口管理方法について。
【００１１】
この出口管理方法は、人の生体情報を利用して、所定の場所や施設の出口において、人の退場や物の持ち出しの管理を、コンピュータシステムを用いて実現する方法であって、予め取得された「生体情報」と「他情報」とから構成される判定用データを作成する手順と、出口に設置された照合用情報読取装置から送られてくる照合用情報と、を比較判定する手順と、前記判定結果、前記照合用情報中に前記「生体情報」と前記「他情報」の両方が含まれていなければ、前記出口において人の退場や物の持ち出しが許可されないようにする手順と、を少なくとも行う。人の退場や物の持ち出しの禁止は、例えば、出口の扉やゲートの解錠を制御する装置やシステムを介して行うようにする（他の発明でも同様）。
【００１２】
本方法は、被保護者の退場を出口で管理する方法として有効であり、この場合、前記判定用データを構成する前記「生体情報」は保護者の生体情報であり、前記「他情報」は被保護者の生体情報である。これにより、被保護者は、必ず特定の保護者と一緒でなければ、出口から自由に退場できなくなるので、誘拐、迷子、行方不明などを有効に防止できる。
【００１３】
なお、本発明において、「被保護者」とは、自由単独行動を制限すべき何らかの理由がある者を広く包含し、例えば、子供、精神薄弱者、痴呆者、老人、身体障害者などを挙げることができ、「保護者」は、前記被保護者の保護責任を有する随伴者を意味する（他の発明でも同様）。
【００１４】
また、本方法は、物品の持ち出しを出口で管理する方法として有効であり、この場合、前記判定用データを構成する前記「生体情報」は物品取扱責任者の生体情報であり、前記「他情報」は物品識別情報である。これにより、管理対象の物品は、当該物品の特定の取扱責任者でなければ、出口からの自由に持ち出しができなくなるので、物品の盗難や当該物品が保持する秘密情報の漏洩などを有効に防止できる。
（II）管理装置について。
【００１５】
本装置は、入口に設置される登録用生体情報入力装置から送られてくる「生体情報」と「他情報」とから構成される判定用データを作成する手段と、前記判定用データと出口に設置された照合用情報読取装置から送られてくる照合用情報とを比較判定する手段と、前記判定の結果、前記照合用情報中に前記「生体情報」と前記「他情報」の両方が含まれていない場合は、人の退場や物の持ち出しを許可しない指示情報を作成して、照合用情報読取装置へ送る手段と、を少なくとも備える。
【００１６】
本装置は、被保護者の退場を出口で管理するため装置として有効であって、この場合、前記判定用データを構成する前記「生体情報」は、保護者の生体情報であり、前記「他情報」は、被保護者の生体情報である。
【００１７】
また、本装置は、物品の持ち出しを出口で管理するため装置として有効であって、この場合、前記判定用データを構成する前記「生体情報」は、物品取扱責任者の生体情報であり、前記「他情報」は、物品識別情報である。
【００１８】
本装置は、例えば、前記登録用生体情報入力装置と前記照合用生体情報入力装置との間の情報の相互やり取りを、通信ネットワークを介して行うサーバである。
（III）出口管理システムについて。
【００１９】
本システムは、第一に、保護者と被保護者が属するグループが来場する施設又は場所で利用される退場管理用のコンピュータシステムとして機能する。
【００２０】
本システムは、すべての入口や所定の入口にだけ設置される登録用生体情報入力装置と、出口に設置される照合用生体情報入力装置と、前記登録用生体情報入力装置で読み取られた生体情報を用いて作成した判定用データに基づいて、前記被保護者の退場許可判定を実行する管理装置と、を備える。
【００２１】
前記管理装置は、入口の登録用生体情報入力装置から送られてきた、前記グループに属する少なくとも一人の保護者から読み取られた保護者生体情報と、前記グループに属する被保護者から読み取られた被保護者生体情報と、から構成される前記判定用データ（データベース）を作成する。
【００２２】
そして、前記被保護者が出口から退場する際に、前記照合用生体情報入力装置から送られてきた照合用情報中に、前記保護者生体情報と被保護者生体情報の両方が含まれる場合に限って、被保護者の退場を許可する。
【００２３】
ここで、保護者生体情報は、前記グループに属する保護者の中から選ばれた一人又は複数者の生体情報であり、あるいは前記グループに属する保護者全員の生体情報であってもよい。一方、前記被保護者生体情報は、前記グループに属する被保護者全員の生体情報でもよいが、選ばれた特定の被保護者だけの生体情報であってもよい。
【００２４】
前記管理装置からの被保護者の退場を許可する指示情報によって、出口の扉やゲートなどを自動解錠する。前記登録用生体情報入力装置には、生体情報からなる前記照合用情報以外に、保護者又は／及び被保護者の年齢、性別その他の属性情報が入力されるようにし、管理装置は、前記属性情報に基づいて、前記グループ来場者の属性分析を行うようにしてもよい。
【００２５】
本システムは、第二に、物品の持ち出しを管理するためのコンピュータシステムとして利用できる。
【００２６】
具体的には、物品取扱責任者の生体情報と物品識別情報とから構成される判定データを作成して記憶し、該判定用データに基づいて、前記物品の持ち出し許可判定を実行する管理装置と、を備える。そして、この管理装置は、人物が出口から退場する際に、該出口に設置された照合用生体情報入力装置から送られてきた照合用情報と前記判定用データとを比較判定し、該判定により前記照合用情報中に前記生体情報と物品識別情報の両方が含まれる場合に限って、当該物品の持ち出しを許可する。例えば、前記許可に係わる指示情報によって、出口の扉やゲートの開閉を自動制御する装置又はシステムを介して、出口を自動解錠したり、施錠状態を維持したりする。
【００２７】
前記物品識別情報は、管理対象の物品に付された固有の識別情報であり、情報の付与の方法は特に限定されないが、例えば、非接触読取が可能なＲＦＩＤ用のトランスポンダ保存情報、又はバーコード情報を採用できる。なお、トランスポンダ保存情報は、非接触状態で情報を読み取ることができるＲＦＩＤシステムによって読み取ることができる。
【００２８】
（IV）情報読取装置について。
【００２９】
この装置は、所定の施設又は場所の入口又は／及び出口に設置される情報読取装置であって、人間の生体情報を読み取る生体情報読取部と、読み取られた前記生体情報データを管理装置に送信する通信部と、情報入力部と、入力情報及び他の装置から送信されてきた送信情報の内容の画面表示化を実現する表示部と、前記送信情報に含まれる指示情報に基づいて出口の解錠を制御する解錠制御部と、を少なくとも備える。
【００３０】
さらに、物品に付された識別情報を読み取る物品識別情報読取部を備えるようにしてもよい。この物品識別情報読取部は、物品に付された識別情報を非接触状態で読み取るＲＦＩＤシステムを用いる構成を好適に採用できる。
【発明の効果】
【００３１】
本発明によれば、保護者とともに所定の施設や場所に入場した子供等の被保護者が、誘拐されたり、行方不明になったりすることを有効に防止することができる。例えば、多数の人間が集まる場所の入口において、被保護者と保護者の生体情報を読み取って登録しておき、出口から被保護者が退場する際には、退場者の生体情報をチェックし、登録された保護者がいない場合は、退場できないようにすることができる。
【００３２】
また、本発明によれば、所定の物品が、施設から勝手に持ち出されたり、盗まれたりすることを確実に防止することができる。例えば、オフィスや工場の出口などで、ノート型コンピュータ（以下、ノートＰＣ）などの物品の盗難を確実に防止することができる。
【発明を実施するための最良の形態】
【００３３】
本発明を実施するための好適な実施形態について、添付図面を参照しながら説明する。以下、被保護者の退場を出口で管理する場合に好適な実施形態（以下「第一実施形態」という。）と、物品の持ち出しを管理する場合に好適な実施形態（以下「第二実施形態」という。）に分けて、説明する。なお、添付図面に示された各実施形態は、本発明に係わる方法、装置、システムの代表的な概念や実施形態の一例を示したものであって、これにより本発明の範囲が狭く解釈されることはない。
【００３４】
（第一実施形態）。
【００３５】
まず、添付した図１は、本発明に係る登録用又は照合用の情報読取装置の構成を説明するための図である。この情報読取装置Ｍは、例えば、多数の人が集まる施設や場所の入口（入場口）付近に設置される装置である。この情報読取装置Ｍは、生体情報読取部１と、表示部２と、情報入力部３を構成する入力ボタン３１〜３６と、図示しない通信インタフェース部、などを備えている。尚、ボタン３１〜３６の入力操作は、押すことに限定されず、例えばタッチ操作でもよい。
【００３６】
生体情報読取部１は、情報入力が要求される入場希望者の指紋、掌紋、手形、手の甲の静脈、虹彩、顔、音声などの生体情報を読み取る。表示部２は、情報入力部３等から入力された情報や他の装置（例えば、図３の管理装置Ｓ）から送信されてきた情報の画面表示化を実現する。情報入力部３は、情報入力作業の開始を意思表示する開始ボタン３１と、保護者である大人用の入力ボタン（大人ボタン）３２と、被保護者である子供用の入力ボタン（子供ボタン）３３と、情報入力作業の終了を意思表示する終了ボタン３４と、入場時に入力操作する入場ボタン３５と、退場時に入力操作する退場ボタン３６と、からなる。なお、本実施形態では、保護者は大人であり、被保護者は子供である場合を代表例として説明しているが、これに限定されない。
【００３７】
施設を訪れた子供連れのグループを想定すると、該グループは、入口付近に設置された登録用情報読取装置Ｍ１（図３参照）を用いて、グループのメンバの生体情報等の入力作業を行う。この入力作業の一例の流れを、図２に示す。
【００３８】
まず、入場ボタン３５を入力した後に開始ボタン３１を入力する。続いて、グループのメンバがひとりずつ、子供ボタン３３若しくは大人ボタン３２のいずれかを入力し、順番に自らの生体情報を、生体情報読取部１を介して、入力する。この入力作業を、グループの全員の入力が終わるまで続ける。なお、当該グループに属する大人の情報入力作業は、該グループに属する特定の大人（引率責任者）に限定してもよく、また、子供の情報入力作業は、該グループに属する特定の子供のみに限定するのは自由である。
【００３９】
入口付近に設置される登録用情報入力装置Ｍ１には、生体情報や大人か子供のいずれであるかに係わる情報以外に、グループ構成員の年齢、性別その他の属性情報を入力するための入力設定ボタン（図示せず。）を設けてもよい。
【００４０】
ここで、図３は、上記した情報読取装置Ｍなどを用いる出口管理システムの概念を示す図である。
【００４１】
入口付近に設置される登録用情報読取装置Ｍ１は、該装置Ｍ１に入力されたすべての情報を、「入場」の意味を表す情報とともに、インターネットその他の通信ネットワークＮを介して、サーバなどの管理装置Ｓに送信する。この管理装置Ｓでは、入口の登録用情報読取装置Ｍ１から送信されてきた情報に基づいて、判定用データ（データベース）を作成し、これを記憶（登録）し、管理する。なお、入場者の属性情報も送信されてきた場合は、当該管理装置Ｓにおいて、属性情報のデータベースの作成・管理を行い、必要に応じて属性分析を行う。
【００４２】
判定用データには、グループ単位で、子供と大人のそれぞれの生体情報が少なくとも保持されている．図４は、管理装置Ｓ（図３参照）が保持するデータベースのデータ構成を簡潔に示す図である。例えば、グループ１は、子供二人と大人三人の計５人のグループであって、各人の「ｘｘｘｘ」で示された生体情報が記憶されている。グループ２は、子供一人と大人一人の計２人のグループであって、各人の「ｘｘｘｘ」で示された生体情報が記憶されている。グループ３は、子供三人と大人二人の計５人のグループであって、各人の「ｘｘｘｘ」で示された生体情報が記憶されている。
【００４３】
図３の管理装置Ｓでは、図５に示すように、情報読取装置Ｍ（例えば、Ｍ１）から新たな情報が通信ネットワークＮ（図３参照）を介して送信されてきたときには、その情報（データ）を、新たなグループのメンバの情報として、データベースに次々に加えて更新し、記憶する。
【００４４】
図６は、サーバである管理装置Ｓの構成を示すブロック図である。この管理装置Ｓは、ネットワークＮから入ってくる情報を制御する入力制御手段４１、ネットワークＮへ出ていく情報を制御する出力制御手段４２、該装置Ｓ全体を制御する制御部４３と、管理装置Ｓ全体の基本的な手順に係わるメインプログラムが格納されているメインプログラムファイル４４、判定用データベースとして用いられる生体情報などが格納されている判定用データファイル４５、前記生体情報データを用いて実行する判定用プログラムが格納されている判定用プログラムファイル４６等が、設けられており、必要に応じて属性情報ファイル（図示せず。）を備える。
【００４５】
本発明では、施設の出口付近に照合用情報読取装置Ｍ２を設置しておいて（図３参照）、子供づれのグループが、何らかの理由で施設から退場しようとした際には、そのメンバの生体情報を、この照合用情報読取装置Ｍ２に読み取らせるようにする。
【００４６】
その読み取られた情報を管理装置Ｓに送信し、該管理装置Ｓでは、上記判定用プログラムによって、当該子供に対し、その子供を引率してきた，データベース上で同じグループとして記憶（登録）されている大人が一緒にいるか否かを判定する。この判定結果に基づいて、出口の扉やゲートを開閉したり、当該出口の照合用情報読取装置Ｍ２の表示部２へ確認できた旨を通知したりする。
【００４７】
前記判定の結果、管理装置Ｓに既に登録されている大人と子供が、一緒にいることが確認された場合は、出口の扉やゲートを開き、確認されない場合は、出口の扉やゲートを開かないようにして、当該子供の退場を強制的に禁止する。
【００４８】
図７を用いて、出口に設置された照合用情報読取装置Ｍ２を用いた作業手順の流れを詳しく説明する。図７は、照合用情報読取装置Ｍ２での退場時の作業フローを表す図である。
【００４９】
施設から退場しようとする子供づれのグループのメンバは、出口に設置された照合用情報読取装置Ｍ２の退場ボタン３６（図１参照）を最初に押す。それに続き、そのグループ中の子供それぞれについて、子供ボタン３３（図１参照）を押した後に、生体情報読取部１から生体情報を読み取らせる。この後，グループ中の大人がそれぞれ、大人ボタン（図１参照）を押した後に、生体情報読取部１から生体情報を読み取らせる。
【００５０】
なお，上記作業において、退場ボタン３６および子供ボタン３３は、必ずしも押さなくてもよく、いきなり子供のメンバが生体情報を入力してもよい。出口の登録用情報読取装置Ｍ２は、「大人」の生体情報をひとり読み取るたびに、管理装置Ｓに対しそれまでに読み取ったグループのメンバの生体情報を、「退場」の意味を表す情報とともに管理装置Ｓへすべて送る。
【００５１】
例えば、退場を希望する子供三人、大人二人のグループについて、３人の子供の生体情報をすべて読取、続いて２人の大人の情報を読み取ったとすれば、３人の子供と２人の大人の生体情報を、それぞれ管理装置Ｓへ送信する。
【００５２】
管理装置Ｓは、照合用情報読取装置Ｍ２から情報を受け取ったら、該情報中のすべての子供について所属グループを特定する。ただし，入場時に登録を行っていない子供（例えば、一人歩きできない乳児など）も存在する場合があるため、データベース上に該当する生体情報がない子供については、未登録（グループなし）とする。
【００５３】
そして、それらの子供が属するグループのすべてについて、同一グループに所属する大人の生体情報が送られた場合には、「退場許可」の指示情報を照合用情報読取装置Ｍ２へ返信し、それ以外ならば「退場不許可」の指示情報を照合用情報読取装置Ｍ２に返信する。なお、未登録の子供については，大人の生体情報は送られなくてもよいものとする。
【００５４】
例えば、情報読取装置Ｍから送られてきた３人の子供の生体情報が、それぞれグループ１、グループ３、未登録と判明したとすると、グループ１に属する大人の少なくとも１人と、グループ３に属する大人の少なくとも１人の生体情報が、照合用情報読取装置Ｎ２から一緒に送信されてきた場合にのみ、管理装置Ｓは、「退場許可」の情報を照合用情報読取装置Ｎ２へ返信し、それ以外の場合には「退場不許可」の情報を照合用情報読取装置Ｍ２へ返信する。
【００５５】
このときの管理装置Ｓの作業手順フローを図８に示す。出口付近に設置された照合用情報読取装置Ｍ２は、管理装置Ｓからの指示情報を受信し、それが「退場許可」を意味する情報であれば、その旨の表示を表示部２（図１参照）に出したり、出口の扉やゲート等の開閉を制御するシステムへ指令を送って解錠したりして、当該グループの退場を促して、処理を終了する。「退場不許可」であれば，さらに別の大人の生体情報の入力を待つ。
【００５６】
また、照合用情報読取装置Ｍ２は、いかなる場合においても、終了ボタン３４（図１参照）を押すことによって状態をリセットし、退場ボタン３６（図１参照）が押される前、あるいは最初の子供の生体情報を読み取る前の状態に戻ることが可能である。
【００５７】
管理装置Ｓは、例えば、１日に１度、施設を閉場している時間に，データベースのすべての情報を消去する。または、データベース上の子供のデータについて、退場許可の指示情報を与えたか否か（情報読取装置Ｍに対して送信したか否か）の情報を保持しておき、グループ内のすべての子供に対して退場許可を与えたグループのデータは、データベース上から消去するようにしてもよい。なお、データの消去タイミングは、施設の終業時のタイミングや当該施設への入場チケットの有効期間の満了を待って消去するようにしてもよい。
【００５８】
（第２実施形態）
【００５９】
この第２実施形態は、物品の持ち出しを管理する場合に好適な実施形態である。一般に、盗難や不正持ち出しを防止するために、ノートＰＣにその使用者の写真を貼っておき、使用者が施設からノートＰＣを持ち出す際には出口の警備員にその写真と使用者の顔を見せ、その一致を持って持ち出しの許可を与えるようにしている場合が多い。しかしこの方法では、１）時間経過により顔が変化するとともに、一致の比較は警備員の主観に頼るので曖昧である、２）ノートＰＣを鞄などに入れてしまえば、持ち出しを警備員に悟られずに持ち出すことができてしまう、３）ある程度の大きさの物品でないと有効な大きさの写真を貼れない、４）警備員などの人件費がかかる，などの問題がある。本実施形態はこのような問題を解決する方法や手段として好適である。
【００６０】
本実施形態では、オフィスや工場等の施設に、データベースに情報を登録するための登録情報読取装置Ｍａを設ける。この登録用情報読取装置Ｍａは、信頼のおける者だけが取り扱えるように、その保管や運用の安全性を確保するのが望ましい。
【００６１】
図９には、登録用情報読取装置Ｍａの構成の例が示されている。この装置Ｍａは、図３などに示されたサーバなどの管理装置Ｓに対して必要な情報を登録するために用いられる。なお、登録作業を行う場合には、登録者の上司や管理部門の許可情報を必要としてもよい。
【００６２】
ここで、登録用情報読取装置Ｍａは、生体情報読取部１と、表示部２と、開始ボタン３７、登録ボタン３８、終了ボタン３９などの入力ボタンからなる情報入力部３と、物品識別情報読取部４と、図示していない通信インタフェース部、などを備えている。
【００６３】
管理装置Ｓ（図３参照）が保持する判定用データベース上の情報は、図１０に示されているように、物品識別情報（以下「物品ＩＤ」という。）と、当該物品の物品取扱責任者（使用者）の生体情報と、からなる。物品ＩＤは、本発明に係る管理システムにおいて管理する物品、例えば、ノートＰＣやオフィスの備品などに対して個々に与えられた識別情報である。例えば、ユニークな識別情報を持つＲＦＩＤタグ（トランスポンダ）やバーコードタグ（ラベル）などをノートＰＣに付すことで、その識別情報を、そのノートＰＣ等の物品ＩＤとして利用することができる。
【００６４】
次に、本発明に係る管理装置Ｓへ所定の情報を登録する際の登録用情報読取装置Ｍａにおける作業手順のフロー例を、図１１に示す。
【００６５】
まず、管理者は、ノートＰＣなどの必要な物品に、予めＲＦＩＤタグなどのＩＤタグを付しておく。そして、登録用情報読取装置Ｍａの開始ボタン３７を押したり、あるいはタッチしたりする。次に、前記ＩＤタグを物品識別情報読取部４（図９参照）にかざして、当該物品ＩＤを読み取らせる。続いて、当該物品の指定された物品取扱責任者（物品使用者）の指紋などの生体情報を生体情報読取部１から読み取らせる。
【００６６】
その後、登録ボタン３８（図９参照）を操作すると、登録用情報読取装置Ｍ１は、読み取った物品ＩＤと当該物品取扱責任者の生体情報を，通信インタフェースを介して、登録要求として管理装置Ｓに送信する。管理装置Ｓでは、図１２に示すように、登録用情報読取装置Ｍａからの送信情報を判定用データベースとして逐次格納することで、データベースの更新を行う。
【００６７】
ここで、当該物品を複数の人物が使用する場合では、登録用情報読取装置Ｍａに物品識別情報を読み取らせた後に、複数の人物の生体情報を読み取らせて、これらの情報を一括して管理装置Ｓに送信させてもよい。また、管理装置Ｓ側で、既にデータベースに存在する物品ＩＤに対する登録要求が送られた場合には、その物品ＩＤに対応する物品取扱責任者の生体情報のみデータを追加するようにしてもよい。このようにして、物品に対する物品取扱責任者の数を事後的に増やすことができる。
【００６８】
次に、施設の出口付近には、図１３に示すような構成の照合用情報読取装置Ｍｂが置かれている。この装置Ｍｂを用いて、人物と物品の組み合わせの正しさを自動照合し、それが正しい場合にのみ、表示部２にその旨を表示したり、該装置Ｍｂの通信インタフェース（図示せず。）を介して、出口の扉やゲートを解錠したりして、物品の持ち出しを許可する。
【００６９】
図１４を参照して、ある人物が登録されている物品を、出口から持ち出す際の処理フローを説明する。まず、物品を持った人物が、出口に設置された照合用情報読取装置Ｍｂに近づくと、当該装置Ｍｂはその人物の持つ物品に付された物品ＩＤを、非接触で読み取る（例えば、ＲＦＩＤ方式）。なお、その人物が複数の物品を持っている場合には，複数の物品ＩＤが読み出される。
【００７０】
次に、照合用の装置Ｍｂは、その人物の生体情報を読み取り、当該生体情報を前記物品ＩＤとともに照合用情報として通信ネットワークを介して、管理装置Ｓに送信する。管理装置Ｓでは、この照合用情報を、既に登録されている判定用データと比較判定し、当該人物と物品ＩＤの組み合わせの正しさを判定する。
【００７１】
その判定が、正しい場合は、持ち出し許可に係わる指示情報を、出口に設置された照合用情報読取装置Ｍｂに通信ネットワークを介して送信し、該装置Ｍｂの表示部２（図１３参照）にその旨を表示（ＯＫ表示）し、また出口の扉やゲートを解錠するなどして物品の持ち出しを許可する。
【００７２】
反対に、当該人物と物品ＩＤの組み合わせが正しくない場合は、持ち出し不許可に係わる指示情報を照合用情報読取装置Ｍｂに通信ネットワークを介して送信し、該装置Ｍｂの表示部２（図１３参照）にその旨を表示（ＮＧ表示）したり、あるいは、警告音を鳴らしたりしたりする。同時に、出口の扉やゲートを解錠せず、物品の持ち出しを防ぐ。
【００７３】
図１５は、物品持ち出しの際の管理装置Ｓにおける処理フローを示す図である。
【００７４】
管理装置Ｓは、図６に示された構成とほぼ同様の構成を備える。出口付近に設置された照合用情報読取装置Ｍｂから物品ＩＤ（複数の場合もある）とそれを持ち出そうとした人の生体情報を受信する。
【００７５】
すべての物品ＩＤについて、自ら保持する判定用データベースを検索し、その中に送られた生体情報が使用者として登録されているものであれば、「持ち出し許可」に係わる指示情報を、出口の照合用情報読取装置Ｍｂへ通信ネットワークを介して送信する。
【００７６】
一方、いずれか１つの物品ＩＤでも、送られた生体情報が使用者として登録されていなければ、「持ち出し不許可」に係わる指示情報を送る。なお、上記説明においては、物品ＩＤを提供する手段としてＲＦＩＤタグを用いているが、バーコードを用いてもよいし、あるいは、ｂｌｕｅｔｏｏｔｈ技術を用いて物品ＩＤ情報をやりとりしてもよい。
【産業上の利用可能性】
【００７７】
本発明は、テーマパーク、遊園地、デパートなど、人が多く集まる施設や場所での子供などの被保護者が、単独で、あるいは登録された引率者ではない人物と一緒に出口から退場することを防止する技術として利用できる。即ち、行方不明や誘拐を防ぐ技術として利用できる。また、来場者の属性分析にも利用できる。
【００７８】
また、本発明は、会社、工場、研究機関などの施設から重要な物品が勝手に持ち出されてしまうことを防止できる技術として利用できる。即ち、物品の盗難や秘密情報の漏洩等を防止するための技術として利用できる。
【図面の簡単な説明】
【００７９】
【図１】本発明に係る情報読取装置Ｍの構成を示す図である。
【図２】入口付近に設置された登録用情報読取装置（Ｍ１）を用いて、グループのメンバの生体情報等の入力作業の一例の流れを示す図である。
【図３】情報読取装置（Ｍ１、Ｍ２）や管理装置（Ｓ）などが設けられた出口管理システムの概念を示す図である。
【図４】管理装置（Ｓ）が保持するデータベースのデータ構成を簡潔に示す図である。
【図５】管理装置（Ｓ）の判定用データベースを作成する手順を説明するためのフロー図である。
【図６】サーバである管理装置（Ｓ）の構成を示すブロック図である。
【図７】退場時の作業手順を表すフロー図である。
【図８】退場許可または不許可に係わる情報を照合用情報読取装置（Ｍ２）に送信する際の管理装置（Ｓ）の処理フローを示す図である。
【図９】物品管理に用いられる登録用情報読取装置（Ｍａ）の構成の例が示された図である。
【図１０】管理装置（Ｓ）の判定用データベース上の情報を示す図である。
【図１１】登録用情報読取装置（Ｍａ）から管理装置（Ｓ）へ読み取った物品ＩＤと当該物品取扱責任者の生体情報を、登録要求として管理装置（Ｓ）に送信するときの処理フローを示す図である。
【図１２】判定用データベースの更新処理フローを示す図である。
【図１３】出口付近に設置される照合用情報読取装置（Ｍｂ）の構成を説明するための図である。
【図１４】ある人物が登録されている物品を、出口から持ち出す際の処理フローを示す図である。
【図１５】物品持ち出しの際の管理装置（Ｓ）における処理フローを示す図である。
【符号の説明】
【００８０】
１  生体情報読取部
２  表示部
３  情報入力部
４  物品情報読取部
Ｍ１，Ｍａ  登録用情報読取装置
Ｍ２，Ｍｂ  照合用情報読取装置
Ｎ  通信ネットワーク
Ｓ  管理装置  
【図１】
2006107308.tif 000003
【図２】
2006107308.tif 000004
【図３】
2006107308.tif 000005
【図４】
2006107308.tif 000006
【図５】
2006107308.tif 000007
【図６】
2006107308.tif 000008
【図７】
2006107308.tif 000009
【図８】
2006107308.tif 000010
【図９】
2006107308.tif 000011
【図１０】
2006107308.tif 000012
【図１１】
2006107308.tif 000013
【図１２】
2006107308.tif 000014
【図１３】
2006107308.tif 000015
【図１４】
2006107308.tif 000016
【図１５】
2006107308.tif 000017